(57)【要約】【課題】吸込口体の上に傾動自在に配置した掃除機本体を備えた電気掃除機であって、手元掃除用パイプの先端部にその吸込口体を接続して掃除が行えるようにした電気掃除機を提供する。【解決手段】吸込開口２１を有する吸込室２２を形成した吸込口体２０と、電動送風機３３を有し、吸込口体２０の上に傾動自在に配置された掃除機本体３０と、掃除機本体３０に設けられ、電動送風機３３の吸引力により塵埃を集塵する集塵容器５０と、集塵容器５０に連通する手元掃除用パイプ４０とを備えた電気掃除機であって、吸込口体２０を掃除機本体３０から取り外し可能にし、この掃除機本体３０から取り外した吸込口体２０を手元掃除用パイプ４０の先端部に接続可能にした。【選択図】図２
2008284308.tif 000002
【特許請求の範囲】
【請求項１】
吸込開口を有する吸込室を形成した吸込口体と、
電動送風機を有し、前記吸込口体の上に傾動自在に配置された掃除機本体と、
前記掃除機本体に設けられ、前記電動送風機の吸引力により塵埃を集塵する集塵部と、
前記集塵部に連通する手元掃除用パイプとを備えた電気掃除機であって、
前記吸込口体を前記掃除機本体から取り外し可能にし、
この掃除機本体から取り外した吸込口体を前記手元掃除用パイプの先端部に接続可能にしたことを特徴とする電気掃除機。
【請求項２】
前記吸込口体が接続される掃除機本体の接続口から前記集塵部へ至る風路を開閉する開閉弁を設け、
前記吸込口体が掃除機本体に接続されているときに前記開閉弁を開成し、前記吸込口体が掃除機本体から取り外されているときに前記開閉弁を閉成させることを特徴とする請求項１に記載の電気掃除機。
【発明の詳細な説明】
【技術分野】
【０００１】
この発明は、吸込口体の上に傾動自在に配置された掃除機本体と、この掃除機本体に先端部が着脱自在に装着される手元掃除用パイプとを備えた電気掃除機に関する。
【背景技術】
【０００２】
従来から、吸込口体の上に掃除機本体を傾動自在に配置したいわゆるアップライト型の電気掃除機が知られている（特許文献１参照）。
【０００３】
かかる電気掃除機は、吸込口体にロータリパイプを備えた開閉機構を設け、掃除機本体を起立させたとき、このロータリパイプを閉塞させ、掃除機本体を傾斜させたとき、そのロータリパイプを開成させるようになっている。
【０００４】
そして、吸込口体で床面などを掃除する際には、掃除機本体が傾斜されるのでロータリパイプが開成され、これにより吸込口体から塵埃が吸引され、床面の掃除が行われる。
【０００５】
また、天井などを掃除する場合、先端パイプを掃除機本体から外して行う。すなわち、掃除機本体を起立させると、ロータリパイプが閉塞され、これにより吸込口体からの塵埃の吸込が停止され、先端パイプのみから塵埃を吸引することができるようになり、これによって先端パイプで天井などの掃除が行えるようになっている。
【特許文献１】特開２００２−２３３４８２号公報
【発明の開示】
【発明が解決しようとする課題】
【０００６】
しかしながら、このような電気掃除機にあっては、先端パイプの先端部に吸込口体を装着して掃除を行うことができず、このため、吸込口体を使用して掃除を行う場合には、吸込口体とともに掃除機本体を常に移動させなければならなかった。
【０００７】
この発明の目的は、吸込口体を掃除機本体に装着した状態でなくても、吸込口体から塵埃を吸引して掃除することができる使用勝手のよい電気掃除機を提供することにある。
【課題を解決するための手段】
【０００８】
この発明は、吸込開口を有する吸込室を形成した吸込口体と、
電動送風機を有し、前記吸込口体の上に傾動自在に配置された掃除機本体と、
前記掃除機本体に設けられ、前記電動送風機の吸引力により塵埃を集塵する集塵部と、
前記集塵部に連通する手元掃除用パイプとを備えた電気掃除機であって、
前記吸込口体を前記掃除機本体から取り外し可能にし、
この掃除機本体から取り外した吸込口体を前記手元掃除用パイプの先端部に接続可能にしたことを特徴とする。
【発明の効果】
【０００９】
この発明によれば、吸込口体の上に傾動自在に配置した掃除機本体を備えた電気掃除機であって、手元掃除用パイプの先端部にその吸込口体を接続して掃除を行うことができる構成としたので、吸込口体の移動操作を楽に行うことができ、その掃除は大変し易いものなる。
【発明を実施するための最良の形態】
【００１０】
以下、この発明に係る電気掃除機の実施の形態である一実施例を図面に基づいて説明する。
【実施例】
【００１１】
図１および図２はアップライト型の電気掃除機１０を示す。このアップライト型の電気掃除機１０は、底面に吸込開口２１を有する吸込室２２を形成した吸込口体２０と、掃除機本体３０と、この掃除機本体３０に着脱可能に装着された手元掃除用パイプ４０とを備えている。
【００１２】
吸込口体２０の後部には、点Ｏ（図２参照）を中心にして前後方向（図２において左右方向）に回動可能な回転管２３が設けられており、この回転管２３は吸込口体２０の吸込室２２に連通されている。また、回転管２３の上部は後述する掃除機本体３０の下部の接続口部３１に着脱可能に接続されており、掃除機本体３０が回転管２３とともに点Ｏを中心にして前後に傾動可能となっている。
【００１３】
また、回転管２３の上端部には、上方に突出した突起２３Ｔが設けられている。
【００１４】
掃除機本体３０は、内部に形成された集塵容器室３２と、この集塵容器室３２に着脱可能に装着された集塵容器（集塵部）５０と、この集塵容器５０内の空気を吸引する電動送風機３３と、この集塵容器５０の接続開口５１と接続口部３１とを連通する連通管３４と、この連通管３４の水平部３４Ａに設けられた枝管３５と、底面が閉塞され上部が開口した筒体（差込部）３６とを備えている。この筒体３６の開口３６Ａが差込口となっている。枝管３５は、連通管３４の水平部３４Ａを介して集塵容器５０の接続開口５１に連通している。
【００１５】
連通管３４の下部内には、開閉弁（切換手段）１００が設けられている。この開閉弁１００は、スプリングＳにより閉成する方向に付勢されており、吸込口体２０の回転管２３が掃除機本体３０の接続口部３１に接続されると、図３に示すように、その回転管２３の突起２３ＴによりスプリングＳの付勢力に抗して上に押し上げられて開成するようになっている。
【００１６】
掃除機本体３０の接続口部３１から吸込口体２０の回転管２３が外されると、図４に示すように、スプリングＳの付勢力により開閉弁１００は閉成して接続口部３１を閉じるようになっている。
【００１７】
手元掃除用パイプ４０は、手元操作管体４１と、この手元操作管体４１の先端部に着脱可能に接続された伸縮接続パイプ４２とを備えている。
【００１８】
手元操作管体４１の後部（図２において上部）には集塵ホース４３の一端が接続され、この集塵ホース４３の他端が枝管３５に接続されている。そして、伸縮接続パイプ４２は手元操作管体４１および集塵ホース４３を介して枝管３５に連通している。
【００１９】
そして、手元掃除用パイプ４０と集塵ホース４３と枝管３５と連通管３４の一部は、手元掃除用パイプ４０から集塵容器５０に至る手元掃除用風路を形成している。
【００２０】
伸縮接続パイプ４２の先端部４４が筒体３６内に取り外し可能に差し込まれている。
【００２１】
伸縮接続パイプ４２の先端部４４が図２に示すように筒体３６内に差し込まれているときは、筒体３６の底部が閉塞されていることにより、伸縮接続パイプ４２は先端部４４から空気を吸い込まないようになっている。
【００２２】
伸縮接続パイプ４２の先端部４４を筒体３６内から抜けば、この先端部４４に吸込口体２０の回転管２３を接続することができるようになっている（図５参照）。
【００２３】
手元操作管体４１は、図１および図２に示すように把手部４１ａを備えている。
【００２４】
伸縮接続パイプ４２は、外側接続パイプ４５と、外側接続パイプ４５内に引き出し可能に挿入された内側パイプ４６とを備えている。内側パイプ４６は、外側接続パイプ４５に設けたボタン４７を押すことにより任意の位置の長さに引き出すことができ、そのボタン４７の押圧を解除すると、内側パイプ４６がその引き出された長さに外側接続パイプ４５に対して固定されるようになっている。
［動  作］
次に、上記のように構成される電気掃除機の動作について説明する。
【００２５】
伸縮接続パイプ４２の先端部４４が図１および図２に示すように筒体３６内に差し込まれている場合、伸縮接続パイプ４２の先端部４４は筒体３６により閉塞され、伸縮接続パイプ４２は空気を吸い込まない。また、図２に示すように吸込口体２０の回転管２３が掃除機本体３０の接続口部３１に接続されていることにより、掃除機本体３０の連通管３４の開閉弁１００は開成され、吸込口体２０の吸込開口２１が回転管２３および連通管３４を介して掃除機本体３０の集塵容器５０内に連通されている。
【００２６】
そして、図示しない電源スイッチがオンされて電動送風機３３が駆動されると、集塵容器５０,連通管３４および回転管２３を介して吸込口体２０の吸込室２２に負圧が作用し、吸込口体２０の吸込開口２１から空気および塵埃が吸引されていく。この空気および塵埃は、吸込室２２,回転管２３および連通管３４を介して集塵容器５０へ吸引されていく。
【００２７】
この集塵容器５０内で塵埃と空気が分離されて塵埃が集塵されていき、空気は電動送風機３３の吸引開口３３Ａへ吸引されていく。吸引開口３３Ａへ吸引された空気は電動送風機３３内を通って掃除機本体３０の排気口（図示せず）から排気される。
【００２８】
次に、伸縮接続パイプ４２の先端部４４に吸込口体２０を接続して掃除を行う場合について説明する。
【００２９】
先ず、伸縮接続パイプ４２の先端部４４を掃除機本体３０の筒体３６から外す。また、掃除機本体３０の接続口部３１から吸込口体２０の回転管２３を取り外す。この吸込口体２０が取り外されると、掃除機本体３０の連通管３４の開閉弁１００がスプリングＳの付勢力により閉成され、掃除機本体３０の接続口部３１が閉じられる（図４参照）。
【００３０】
そして、図５に示すように吸込口体２０の回転管２３を伸縮接続パイプ４２の先端部４４に接続する。この接続により、吸込口体２０の吸込開口２１が回転管２３，伸縮接続パイプ４２,手元操作管体４１,集塵ホース４３および枝管３５を介して集塵容器５０に連通される。
【００３１】
次いで、図示しない電源スイッチをオンして電動送風機３３を駆動すると、集塵容器５０,枝管３５,集塵ホース４３,手元操作管体４１，伸縮接続パイプ４２，回転管２３および吸込口体２０の吸込開口２１に負圧が作用し、この吸込口体２０の吸込開口２１から空気および塵埃が吸引されていく。この空気および塵埃は、伸縮接続パイプ４２,手元操作管体４１,集塵ホース４３および枝管３５を介して集塵容器５０へ吸引されていく。
【００３２】
そして、手元操作管体４１の把手部４１ａを握って操作すれば、キャニスタ型の電気掃除機と同様に掃除機本体３０を移動させずに、吸込口体２０のみを移動させて掃除を行うことができる。このため、その吸込口体２０の移動操作は楽に行うことができ、その掃除は大変し易いものとなる。
【図面の簡単な説明】
【００３３】
【図１】この発明に係るアップライト式の電機掃除機の外観を示した斜視図である。
【図２】図１のアップライト式の電機掃除機の構成を示した断面図である。
【図３】図２に示す掃除機本体の接続口部に吸込口体の回転管を接続した状態を示した拡大断面図である。
【図４】図３に示す吸込口体を取り外した場合を示した説明図である。
【図５】伸縮接続パイプに吸込口体を接続した状態を示した電気掃除機の説明図である。
【符号の説明】
【００３４】
２０          吸込口体
２１          吸込開口
２２          吸込室
３０          掃除機本体
３３          電動送風機
３６          筒体（差込部）
４０          手元掃除用パイプ
５０          集塵容器（集塵部）
１００        開閉弁
【図１】
2008284308.tif 000003
【図２】
2008284308.tif 000004
【図３】
2008284308.tif 000005
【図４】
2008284308.tif 000006
【図５】
2008284308.tif 000007